【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
底板と、
外面に係合突起が形成された側壁と
を備えた下部ケースと、
天板と、
係合孔が形成された側壁と
を備えた上部ケースと
を有し、
前記下部ケースの側壁は、当該側壁の上端部から伸びる突出部と、前記突出部が設けられた領域に形成されたねじ穴とを有し、
前記上部ケースは、前記天板から前記上部ケースの側壁にかけて形成された切欠孔を有し、
前記切欠孔は、前記天板に形成された天板切欠部と前記上部ケースの側壁に形成された側壁切欠部とからなり、
前記下部ケースの突出部が前記上部ケースの天板切欠部に係合して、前記側壁切欠部から前記ねじ穴が露出し、かつ、
前記下部ケースの係合突起が前記上部ケースの係合孔に係合されることを特徴とする電子部品用ケース。
【請求項２】
底板と、
外面に係合突起が形成された側壁と
を備えた下部ケースと、
天板と、
係合孔が形成された側壁と
を備えた上部ケースと
を有し、
前記下部ケースは、前記底板の内面側に形成された基板位置決め用突起を有し、
前記上部ケースは、前記天板の内面側に形成され、前記下部ケースの基板位置決め用突起に対応する基板押え用突起を有し、
前記下部ケースと前記上部ケースの間に電子部品を収容する際に、前記電子部品の基板の基準穴に前記下部ケースの基板位置決め用突起を挿通させ、前記上部ケースの基板押え用突起で電子部品の基板の基準穴の周囲を押圧し、かつ、
前記下部ケースの係合突起が前記上部ケースの係合孔に係合され、
前記基板位置決め用突起の内部には、前記底板の外面側に開口する空洞孔が形成され、前記基板押え用突起の内部には、前記天板の外面側に開口する空洞孔が形成されていることを特徴とする電子部品用ケース。
【請求項３】
前記下部ケースの突出部の外側端部が面取りされており、かつ、前記切欠孔が設けられた領域の前記上部ケースの側壁の内側端部が面取りされていることを特徴とする請求項１に記載の電子部品用ケース。
【請求項４】
前記下部ケースは、前記底板の内面側に形成された基板位置決め用突起を有し、
前記上部ケースは、前記天板の内面側に形成され、前記下部ケースの基板位置決め用突起に対応する基板押え用突起を有し、
前記下部ケースと前記上部ケースの間に電子部品を収容する際に、前記電子部品の基板の基準穴に前記下部ケースの基板位置決め用突起を挿通させ、前記上部ケースの基板押え用突起で電子部品の基板の基準穴の周囲を押圧し、
前記基板位置決め用突起の内部には、前記底板の外面側に開口する空洞孔が形成され、前記基板押え用突起の内部には、前記天板の外面側に開口する空洞孔が形成されていることを特徴とする請求項１又は３に記載の電子部品用ケース。
【請求項５】
前記下部ケースの基板位置決め用突起は下側の径大部と上側の径小部とを含み、
前記上部ケースの基板押え用突起は、先端から内部に形成された凹部を含み、
前記電子部品の基板の基準穴に前記基板位置決め用突起の径小部が挿通され、かつ、前記径小部の先端が前記基板押え用突起の凹部に配置されることを特徴とする請求項２又は４に記載の電子部品用ケース。
【請求項６】
前記径大部と前記径小部とはそれぞれ柱状に形成され、かつ、各上部周縁が面取りされていることを特徴とする請求項５に記載の電子部品用ケース。
【請求項７】
前記上部ケース及び前記下部ケースは、純アルミニウム、又はアルミニウム−マグネシウム合金から形成されることを特徴とする請求項１乃至６のいずれか一項に記載の電子部品用ケース。
【請求項８】
底板と、
外面に係合突起が形成された側壁と
を備えた下部ケースと、
天板と、
係合孔が形成された側壁と
を備えた上部ケースと、
前記下部ケースと前記上部ケースとの間に収容された電子部品と
を有し、
前記下部ケースの側壁は、当該側壁の上端部から伸びる突出部と、前記突出部が設けられた領域に形成されたねじ穴とを有し、
前記上部ケースは、前記天板から前記上部ケースの側壁にかけて形成された切欠孔を有し、
前記切欠孔は、前記天板に形成された天板切欠部と前記上部ケースの側壁に形成された側壁切欠部とからなり、
前記下部ケースの突出部が前記上部ケースの天板切欠部に係合して、前記側壁切欠部から前記ねじ穴が露出し、かつ、
前記下部ケースの係合突起が前記上部ケースの係合孔に係合されることを特徴とする電子部品装置。
【請求項９】
底板と、
外面に係合突起が形成された側壁と
を備えた下部ケースと、
天板と、
係合孔が形成された側壁と
を備えた上部ケースと、
前記下部ケースと前記上部ケースとの間に収容された電子部品と
を有し、
前記下部ケースは、前記底板の内面側に形成された基板位置決め用突起を有し、
前記上部ケースは、前記天板の内面側に形成され、前記下部ケースの基板位置決め用突起に対応する基板押え用突起を有し、
前記下部ケースと前記上部ケースの間に電子部品を収容する際に、前記電子部品の基板の基準穴に前記下部ケースの基板位置決め用突起を挿通させ、前記上部ケースの基板押え用突起で電子部品の基板の基準穴の周囲を押圧し、かつ、
前記下部ケースの係合突起が前記上部ケースの係合孔に係合され、
前記基板位置決め用突起の内部には、前記底板の外面側に開口する空洞孔が形成され、前記基板押え用突起の内部には、前記天板の外面側に開口する空洞孔が形成されていることを特徴とする電子部品装置。
【請求項１０】
前記電子部品は、記憶素子であることを特徴とする請求項８又は９に記載の電子部品装置。
【手続補正２】
【補正対象書類名】明細書
【補正対象項目名】０００２
【補正方法】変更
【補正の内容】
【０００２】
従来、下部ケースの上に上部ケースが固定された電子部品用ケースの内部に電子部品が収容された電子部品装置がある。そのような電子部品装置では、下部ケースの側壁に係合突起が設けられ、上部ケースの側壁に係合孔が設けられている。そして、上部ケースの係合突起が下部ケースの係合孔に係合されることによって、下部ケース及び上部ケースが固定される。
【手続補正３】
【補正対象書類名】明細書
【補正対象項目名】０００６
【補正方法】変更
【補正の内容】
【０００６】
以下の開示の一観点によれば、底板と、外面に係合突起が形成された側壁とを備えた下部ケースと、天板と、係合孔が形成された側壁とを備えた上部ケースとを有し、前記下部ケースの側壁は、当該側壁の上端部から伸びる突出部と、前記突出部が設けられた領域に形成されたねじ穴とを有し、前記上部ケースは、前記天板から前記上部ケースの側壁にかけて形成された切欠孔を有し、前記切欠孔は、前記天板に形成された天板切欠部と前記上部ケースの側壁に形成された側壁切欠部とからなり、前記下部ケースの突出部が前記上部ケースの天板切欠部に係合して、前記側壁切欠部から前記ねじ穴が露出し、かつ、前記下部ケースの係合突起が前記上部ケースの係合孔に係合される電子部品用ケースが提供される。
【手続補正４】
【補正対象書類名】明細書
【補正対象項目名】００１２
【補正方法】変更
【補正の内容】
【００１２】
【図１】図１は予備的事項に係る電子部品装置の下部ケース及び上部ケースを示す斜視図である。
【図２】図２は予備的事項に係る電子部品装置を示す斜視図である。
【図３】図３（ａ）及び（ｂ）は実施形態の第１の電子部品用ケースの下部ケースを示す斜視図である。
【図４】図４（ａ）及び（ｂ）は実施形態の第１の電子部品用ケースの上部ケースを示す斜視図である。
【図５】図５は実施形態の下部ケースの上にＳＳＤ基板及び上部ケースを配置する様子を示す斜視図である。
【図６】図６（ａ）及び（ｂ）はＳＳＤ基板が下部ケースの基板位置決め用突起及び上部ケースの基板押え用突起で挟まれて固定された様子を示す断面図である。
【図７】図７は実施形態の第１の電子部品装置を示す斜視図である。
【図８】図８（ａ）及び（ｂ）は実施形態の第２の電子部品用ケースの上部ケースの表側を示す斜視図である。
【図９】図９は実施形態の第２の電子部品装置を示す斜視図である。
【図１０】図１０は実施形態の第２の電子部品装置の上部ケースの裏側を示す斜視図である。
【図１１】図１１は実施形態の第１の電子部品装置に取外用治具が配置された様子を模式的に示す平面図である。
【手続補正５】
【補正対象書類名】明細書
【補正対象項目名】００８７
【補正方法】変更
【補正の内容】
【００８７】
下部ケース１０の上に上部ケース２０を配置して係合する際に、下部ケース１０の側壁１２の突出部Ｐが上部ケース２０の切欠孔２５ａに配置されて、上部ケース２０の天板２１と干渉しない構造としている。
【手続補正６】
【補正対象書類名】明細書
【補正対象項目名】０１０２
【補正方法】変更
【補正の内容】
【０１０２】
前述した形態では、第１、第２電子部品用ケース１ａ，１ｂに収容される電子部品として、記憶素子であるＳＳＤ基板３０を例示したが、各種の電子部品のケースとして使用することができる。
【手続補正７】
【補正対象書類名】図面
【補正対象項目名】図９
【補正方法】変更
【補正の内容】
【図９】
2015070056.tif 000001